(57)【要約】【課題】条件設定後に待ち時間が必要となるチルト補正手段を備える光ディスク装置において、情報の読み取りや情報の書き込み速度の低下を抑制できる光ディスク装置を提供する。【解決手段】光ディスクの記録面に対する光ピックアップの光軸のチルトを補正するチルト補正手段を備える光ディスク装置には、情報の読み取り又は情報の書き込みを行うために光ピックアップの位置を移動する場合に、光ピックアップの移動先におけるチルト補正手段の補正量を取得し、取得された補正量と現在の補正量とに基づいて、前記ドライバ手段の設定を現在の設定から変更するか否かを判断する設定変更判断手段が設けられる。【選択図】図３
2009026414.tif 000002
【特許請求の範囲】
【請求項１】
光ディスクに光ビームを照射して、情報の読み取り又は情報の書き込みを行う光ピックアップと、
前記光ディスクの記録面に対する前記光ピックアップの光軸のチルトを補正するチルト補正手段と、
前記チルト補正手段を駆動するドライバ手段と、
を備える光ディスク装置において、
情報の読み取り又は情報の書き込みを行うために前記光ピックアップの位置を移動する場合に、前記光ピックアップの移動先における前記チルト補正手段の補正量を取得し、取得された補正量と現在の補正量とに基づいて、前記ドライバ手段の設定を現在の設定から変更するか否かを判断する設定変更判断手段を設けたことを特徴とする光ディスク装置。
【請求項２】
所定の閾値が記憶される記憶手段を備え、
前記設定変更判断手段は、前記取得された補正量と前記現在の補正量との間の差分値の絶対値を求め、該差分値の絶対値と、前記所定の閾値と、を比較することにより前記ドライバ手段の設定を現在の設定から変更するか否かを判断することを特徴とする請求項１に記載の光ディスク装置。
【請求項３】
前記チルト補正手段は、前記光ピックアップの光学系に配置されて、通過する光ビームの位相を調整することでチルト補正を行う光学部材であることを特徴とする請求項１又は２に記載の光ディスク装置。
【請求項４】
前記チルト補正手段は、液晶と、該液晶を挟む２つの透明電極と、を備える液晶素子であることを特徴とする請求項３に記載の光ディスク装置。
【発明の詳細な説明】
【技術分野】
【０００１】
本発明は、光ディスクに記録された情報の再生を行ったり、光ディスクに情報を記録したりするために使用される光ディスク装置に関し、特に、光ディスクに対する光ピックアップの光軸のチルトを補正するチルト機構を有する光ディスク装置に関する。
【背景技術】
【０００２】
コンパクトディスク（以下、ＣＤという。）やデジタル多用途ディスク（以下、ＤＶＤという。）といった光ディスクが普及している。また、最近では、ＣＤやＤＶＤに比べて記録密度を高めたブルーレイディスク（以下、ＢＤという。）等の高密度記録可能な光ディスクも実用化されている。このような光ディスクの情報の再生や光ディスクへの情報の記録は、光ディスクに光ビームを照射して情報の読み取りや書き込みを行う光ピックアップを備える光ディスク装置によって行われる。
【０００３】
ところで、光ディスクの情報の再生や光ディスクへの情報の記録を行う場合、光ピックアップの光軸と光ディスクの記録面との関係は垂直であることが理想である。これは、この両者の関係が垂直でなくなると、光ディスクの記録面上に形成される光スポットに収差が生じ、光ディスク装置による記録再生の品質が劣化するおそれがあるためである。
【０００４】
しかし、実際には、光ディスクの反りや光ピックアップが備える対物レンズの貼り付け誤差などの様々な理由のために、光ピックアップの光軸は光ディスクの記録面に対して垂直な状態から傾く（このように傾くことを、以下ではチルトと表現する。）場合がある。そして、情報を高密度に記録する光ディスクほど、波長の短い光ビーム、及び開口数の大きな対物レンズを使用するために、光ピックアップの光軸が光ディスクの記録面に対してチルトした場合の悪影響は大きい。
【０００５】
近年、特に情報を高密度に記録できる光ディスクに対する要求が高まっており、これとともに、上述のようなチルトを補正するチルト補正機構を有する光ディスク装置に対する要求も高まっている。このため、チルト補正機構を有する光ディスク装置について、従来、種々の提案がなされている（例えば、特許文献１〜３参照）。
【０００６】
従来提案されるチルト補正の方式の中には、例えば、光ピックアップ又は対物レンズを傾けて、光ピックアップの光軸が光ディスクの記録面に対して垂直となるようにするものがある（例えば、特許文献１や２）。
【０００７】
また、これらと異なるチルト補正方式として、光ピックアップの光学系に液晶素子を配置して、液晶素子に位相差の分布を与えてチルト補正を行う方式もある（例えば、特許文献３）。この方式は、上述の光ピックアップや対物レンズを傾けるといった機械的な機構によってチルト補正を行うものではなく、従来から注目されている。
【特許文献１】特開２００６−３３１４９４号公報
【特許文献２】特開２００６−７９７２３号公報
【特許文献３】特開２００４−６２９１８号公報
【発明の開示】
【発明が解決しようとする課題】
【０００８】
しかしながら、液晶素子を用いてチルト補正を行う方式の場合には、次のような問題点を有する。ずなわち、液晶素子は、それを駆動するドライバＩＣに駆動電圧を設定した後に、設定された駆動電圧によって期待される所望の特性レベルに達するまでに長時間を要する。このため、液晶素子を用いてチルト補正を行う方式の場合には、シーク時に液晶素子の条件設定を行ってから液晶素子が所望の駆動状態となるまでの待ち時間が長くなり、情報の読み取りや情報の書き込み速度の低下を招く場合があるといった問題がある。
【０００９】
以上の問題点を鑑みて、本発明の目的は、条件設定後に待ち時間が必要となるチルト補正手段を備える光ディスク装置において、情報の読み取りや情報の書き込み速度の低下を抑制できる光ディスク装置を提供することである。
【課題を解決するための手段】
【００１０】
上記目的を達成するために本発明は、光ディスクに光ビームを照射して、情報の読み取り又は情報の書き込みを行う光ピックアップと、前記光ディスクの記録面に対する前記光ピックアップの光軸のチルトを補正するチルト補正手段と、前記チルト補正手段を駆動するドライバ手段と、を備える光ディスク装置において、情報の読み取り又は情報の書き込みを行うために前記光ピックアップの位置を移動する場合に、前記光ピックアップの移動先における前記チルト補正手段の補正量を取得し、取得された補正量と現在の補正量とに基づいて、前記ドライバ手段の設定を現在の設定から変更するか否かを判断する設定変更判断手段を設けたことを特徴としている。
【００１１】
この構成によれば、情報の読み取りや情報の書き込みを行うために光ピックアップを移動する場合において、チルト補正手段の不必要な設定変更を減らすことが可能となり、チルト補正手段の設定変更に伴う待ち時間を低減することができる。このために、情報の読み取り又は書き込み速度の低下を抑制できる。
【００１２】
また、本発明は、上記構成の光ディスク装置において、所定の閾値が記憶される記憶手段を備え、前記設定変更判断手段は、前記取得された補正量と前記現在の補正量との間の差分値の絶対値を求め、該差分値の絶対値と、前記所定の閾値と、を比較することにより前記ドライバ手段の設定を現在の設定から変更するか否かを判断するようにしても良い。この構成によれば、チルト補正手段の不必要な設定変更を減らすことが可能な構成を実現し易い。
【００１３】
また、本発明は、上記構成の光ディスク装置において、前記チルト補正手段は、前記光ピックアップの光学系に配置されて、通過する光ビームの位相を調整することでチルト補正を行う光学部材であることとでき、特に、前記チルト補正手段は、液晶と、該液晶を挟む２つの透明電極と、を備える液晶素子であっても良い。
【００１４】
従来、通過する光ビームの位相を調整することでチルト補正を行う液晶素子をチルト補正手段として用いる場合に、設定変更に伴う待ち時間の長時間化が発生している。この点、本発明の構成によれば、液晶素子をチルト補正手段として用いる光ディスク装置について、チルト補正手段の設定変更に伴う待ち時間を低減できる。従って、液晶素子をチルト補正手段として用いた場合においても、情報の読み取り又は書き込み速度の低下を抑制できる。
【発明の効果】
【００１５】
本発明によれば、チルト補正手段の不必要な設定変更を減らすことが可能となり、チルト補正手段の設定変更に伴う待ち時間を低減することができる。このため、条件設定後に待ち時間が必要となるチルト補正手段を備える光ディスク装置において、情報の読み取りや情報の書き込み速度の低下を抑制できる。
【発明を実施するための最良の形態】
【００１６】
以下、本発明の光ディスク装置の実施形態について、図面を参照しながら詳細に説明する。
【００１７】
まず、本実施形態の光ディスク装置の全体構成の概略を説明する。図１は、本実施形態の光ディスク装置の構成を示すブロック図である。光ディスク装置１は、光ディスク２０に記録される情報の再生を行ったり、光ディスク２０に情報を記録したりする装置である。
【００１８】
なお、光ディスク装置１は、例えば、ＢＤ、ＤＶＤ、ＣＤ等の光ディスクの記録再生が可能であり、複数種類の光ディスクを互換する構成であってもよいし、１種類の光ディスクのみに対応する構成であってもよい。
【００１９】
２は、スピンドルモータであり、光ディスク２０はスピンドルモータ２の上部に設けられるチャック部（図示せず）に着脱可能に保持される。スピンドルモータ２は、光ディスク２０の情報の記録再生を行う際に光ディスク２０を連続回転する。スピンドルモータ２の回転制御は、スピンドルモータ駆動回路３によって行われる。
【００２０】
４は、光ピックアップであり、光源から出射されたレーザ光を光ディスク２０に照射し、光ディスク２０に記録されている情報の読み取りや光ディスク２０への情報の書き込みを行う。光ピックアップ４の光学系には、半導体レーザ２１と、コリメートレンズ２２と、ビームスプリッタ２３と、液晶素子２４と、対物レンズ２５と、集光レンズ２６と、光検出器２７と、が備えられる。
【００２１】
半導体レーザ２１は、記録再生を行う光ディスクの種類に対応した波長のレーザ光を出射する光源である。例えば、光ディスク装置１がＢＤ用の装置であれば、半導体レーザ２１は波長４０５ｎｍ帯のレーザ光を出射するように設けられ、光ディスク装置１がＤＶＤ用の装置であれば、半導体レーザ２１は６５０ｎｍ帯のレーザ光を出射するように設けられる。また、光ディスク装置１が複数種類の光ディスク２０を互換する場合には、複数の半導体レーザが配置されたり、複数波長のレーザ光を切り換えて出射できる２波長レーザ等が配置されたりする。半導体レーザ２１の制御はレーザ駆動回路５によって行われる。
【００２２】
コリメートレンズ２２は、半導体レーザ２１から出射されたレーザ光を平行光とする。ビームスプリッタ２３は、半導体レーザ２１からのレーザ光を透過して光ディスク２０側に導き、光ディスク２０で反射されたレーザ光を反射して光検出器２７側に導く。
【００２３】
液晶素子２４は、通過するレーザ光の位相を調整することで、光ディスク２０の記録面２０ａに対する光ピックアップ４の光軸のチルト（傾き）を補正するチルト補正手段として機能する。光ピックアップ４の光軸は、光ディスク２０の記録面２０ａに対して垂直となるのが理想であるために、この関係になるように前述した光ピックアップ４の光軸のチルトが補正される。
【００２４】
なお、液晶素子２４は、図示しないが、液晶と、液晶を挟む２つの透明電極と、透明電極を保持するガラス板と、を備える。そして、透明電極の一方は、チルト補正を行えるように複数の領域に分割されたパターンとなっており、他方は共通電極となっている。分割された透明電極の各領域に印加する電圧を調整することにより、チルト補正が行われる。液晶素子２４の駆動の制御は、液晶駆動回路１２によって行われる。
【００２５】
対物レンズ２５は、液晶素子２４からのレーザ光を光ディスク２０の記録面２０ａに集光する。対物レンズ２５は、アクチュエータ２８によって、光ディスク２０に対して接離する方向であるフォーカス方向と、光ディスク２０の半径方向と平行な方向であるトラッキング方向と、に移動可能となっている。これにより、光ピックアップ４におけるフォーカス制御及びトラッキング制御が行われる。
【００２６】
なお、アクチュエータ２８の構成は、コイルに流れる電流と永久磁石によって作られる磁界との電磁気的な作用を用いて対物レンズ２５を移動させる周知の構成であるために、ここではその説明を省略する。
【００２７】
また、アクチュエータ２８の駆動の制御は、アクチュエータ駆動回路１３によって行われる。アクチュエータ駆動回路１３は、後述のサーボ回路１１から供給されるフォーカス駆動信号やトラッキング駆動信号等の信号に基づいて、対物レンズ２５を搭載するアクチュエータ２８の駆動を制御する。
【００２８】
集光レンズ２６は、光ディスク２０で反射され、対物レンズ２５、液晶素子２４を透過し、ビームスプリッタ２３で反射されたレーザ光を光検出器２７の受光領域(図示せず)に集光する。光検出器２７は、集光レンズ２６を通過したレーザ光を受光し、光情報を電気信号へと変換する。
【００２９】
スレッドモータ６は、光ピックアップ４を光ディスク２０の半径方向に移動するための駆動手段である。スレッドモータ６の駆動の制御は、スレッドモータ駆動回路７によって行われる。なお、スレッドモータ５はステッピングモータで構成されており、光ピックアップ４の位置は、例えば内周基準位置からのスレッドモータの駆動パルスをカウントすることによって特定することができる。
【００３０】
信号処理部８は、光検出器２７から電気信号を供給されて、供給された電気信号の処理を行い、ＲＦ信号、フォーカスエラー信号（ＦＥ信号）、及びトラッキングエラー信号（ＴＥ信号）等を生成する。
【００３１】
情報検出回路９は、信号処理部８から供給されるＲＦ信号について波形等化等の処理を行い、光ディスク２０に記録されている情報の読み出しを行う。情報検出回路９で読み出された情報はデコーダ１０によって復調され、復調された再生信号はインターフェース１６を介してパソコン等の外部機器に出力される。
【００３２】
サーボ回路１１は、信号処理部８において生成されたＦＥ信号やＴＥ信号に基づいて、フォーカス駆動信号やトラッキング駆動信号の生成等を行う。生成されたフォーカス駆動信号やトラッキング駆動信号はアクチュエータ駆動回路に送られる。
【００３３】
チルトセンサ１４は、光ピックアップ４上に搭載されており、図示しないが、例えばＬＥＤ等から成る発光素子と、受光部が２分割された受光素子と、を備える。発光素子から光ディスク２０に光が照射されると、それによって生じる光ディスク２０からの反射光が受光素子によって受光される。このとき、光ディスク２０の記録面２０ａと光ピックアップ４の光軸との関係が垂直である（チルトがない状態）場合には、受光素子上の反射スポットがチルトセンサ１４の２分割された受光部の分割線上に当たる。一方、光ディスク２０の記録面２０ａに対して光ピックアップ４の光軸がチルトしている場合には、反射スポットが分割線上からずれる。そのために、２分割された受光部のそれぞれで得られる受光量を比較することにより、チルト角を検出できる。
【００３４】
チルトセンサ１４で検出された受光信号は検出アンプ１５に送信され、検出アンプ１５では、受光信号を増幅した後、２つの信号の差を演算する。そして、演算された結果がチルト信号としてシステム制御部１７に送信される。
【００３５】
システム制御部１７は、マイクロコンピュータを備えて光ディスク装置１を構成する各部が実行すべき所要の動作に応じて適宜制御処理を実行する。また、システム制御部１７は、後述のチルト補正に関する演算処理等も行う。なお、システム制御部１７には、メモリ１８が備えられている。メモリ１８には、システム制御部１７が各種処理を行う上で必要となる各種のパラメータや動作プログラム等が記憶される。
【００３６】
本実施形態の光ディスク装置１の全体構成は以上のようであるが、次に、液晶素子２４を用いて、チルト補正がどのように行われるかについて説明する。本実施形態においては、光ディスク装置１で情報の再生や記録を行う前に、予め光ディスク２０の複数の位置でチルト補正値を取得してメモリ１８に記憶させておき、このデータを基にチルト補正を行う構成となっている。
【００３７】
なお、チルト補正を行うために必要となる上述のチルト補正値の取得は、光ディスク２０が光ディスク装置１に挿入されてから、その光ディスク２０の情報の再生や記録を行う前までに行えば良い。
【００３８】
図２は、本実施形態のチルト補正方法を説明するための図である。図２に示すように、例えば、光ディスク２０に対して光ピックアップ４を略等間隔に内周側から外周側に移動させ、各検出点（ｒ１〜ｒ８）について、チルトセンサ１４（図１参照）によってチルト角を検出する。これによって、各検出点（ｒ１〜ｒ８）のチルト補正値が取得され、取得されたチルト補正値がメモリ１８に記憶される。
【００３９】
なお、検出点の数及び配置は、本実施形態の構成に限定される趣旨ではない。検出点の数について、本実施形態より多くても少なくても良い。ただし、検出点の数が多くなりすぎると、各検出点におけるチルト補正値の取得に必要な時間が長くなり、検出点の数が少ないとチルト補正が適切に行えない場合があるため、そのような点を考慮して決定する必要がある。また、検出点の間隔についても、必ずしも略等間隔である必要はない。
【００４０】
メモリ１８に記憶されたデータ（チルト補正値）に基づくチルト補正は、次のように行われる。まず、光ピックアップ４の移動地点が、チルト補正値が記憶されている各検出点である場合には、記憶しているチルト補正値となるように液晶素子２４に印加する駆動電圧を決定し、決定された駆動電圧で液晶素子２４を駆動するように液晶駆動回路１２に指令が出される。
【００４１】
なお、液晶素子２４に印加する駆動電圧の決定は、例えば製造時等に、チルト補正値と液晶素子に印加する駆動電圧の関係を予め調べて置き、それに関する情報（テーブルや関係式）をメモリ１８に記憶しておき、これに基づいて決定する。
【００４２】
一方、光ピックアップ４の移動地点が、チルト補正値が記憶されていない地点である場合には、その地点を挟む検出点（例えばｒ１とｒ２、ｒ２とｒ３など）の２つのチルト補正値から、例えば１次近似などによりチルト補正値を算出する。そして、この算出されたチルト補正値となるように液晶素子２４に印加する駆動電圧を決定し、決定された駆動電圧で液晶素子２４を駆動するように液晶駆動回路１２に指令が出される。
【００４３】
ただし、上述のように液晶素子２４の駆動設定を変更する場合、駆動設定を変更してから液晶素子２４が所望の状態（設定値に見合った特性が得られる状態）となるまでに時間を要する。このために、シーク命令が出てから光ピックアップ４が目的の位置まで移動する（シークを実行する）までの時間が長くなり、結果として、光ディスク２０のデータの読み取りや光ディスクへのデータの書き込みに要する時間が長くなる。この点を考慮して、本実施形態の光ディスク装置１においては、光ピックアップ４の移動先が決定し、その地点におけるチルト補正値を取得しても、すぐには液晶素子２４の設定変更を行わず、一定の条件を満たす場合にのみ液晶素子２４の設定変更を行うように構成されている。なお、このような設定変更の判断は、本実施形態においてはシステム制御部１７によって行っている。
【００４４】
図３は、本実施形態の光ディスク装置１において、光ピックアップ４にシーク命令が出されてからシークが実行されるまでの手順を示すフローチャートである。シーク命令が出されると、以下の動作が行われる。
【００４５】
光ピックアップ４が移動予定の位置に関する情報を得て、光ピックアップ４の移動先におけるチルト補正値Ｃ２を取得する（ステップＳ１）。次に、取得したチルト補正値Ｃ２と、現在のチルト補正値Ｃ１（移動が行われる前のチルト補正値）と、の間の差分値の絶対値が算出される（ステップＳ２）。算出された差分値の絶対値が閾値Ｘ以上であるか否かが確認される（ステップＳ３）。この閾値Ｘは、移動先と現在の位置とで、チルトを補正するために必要な補正量の差が大きく、差分値の絶対値がこれ以上大きくなると、液晶素子２４に印加する電圧設定を変更しない場合には、情報の再生や記録に影響が出るという基準に従って決定されている。
【００４６】
従って、算出された差分値の絶対値が閾値Ｘ以上であれば、取得したチルト補正値Ｃ２となるように液晶素子２４に印加する駆動電圧を変更する必要がある。このため、チルト補正値Ｃ２が得られるように液晶素子２４に印加する駆動電圧が決定され、決定された駆動電圧で液晶素子２４を駆動するように液晶駆動回路１２に指令が出される。そして、液晶駆動回路１２の設定が変更される（ステップＳ４）。液晶駆動回路１２の設定が変更された後は、所望の状態となるまでに時間がかかる液晶素子２４について、動作準備が完了（所望の状態となった状態）したか否かが確認される（ステップＳ５）。
【００４７】
一方、算出された差分値の絶対値が閾値Ｘより小さい場合には、チルト補正値の変更を行う必要がないレベルであるので、液晶素子２４に印加する電圧設定を変更する必要がないと判断される。
【００４８】
そして、液晶素子３の動作準備が完了した場合、及び、液晶素子２４に印加する電圧設定を変更しないと判断された場合には、シークが実行され、光ピックアップ４が目的の位置まで移動される（ステップＳ６）。
【００４９】
以上のように、本実施形態の光ディスク装置１においては、シーク命令が出された場合に、現在位置から移動先に移動する場合におけるチルト補正値の変化の大きさから、液晶素子２４に印加する電圧設定を変更するか否か判断する構成としている。このために、光ディスク装置１における再生や記録の品質を劣化させることなく、液晶素子２４の設定を変更する回数を低減できる。このために、液晶素子の設定変更による待ち時間を低減でき、液晶素子を用いてチルト補正を行う光ディスク装置において、情報の読み取りや情報の書き込みの速度が低下するのを抑制できる。
【００５０】
以上に示した実施形態は一例であり、本発明は上述の実施形態に限定されるものではなく、本発明の目的を逸脱しない範囲で種々の変更が可能である。
【００５１】
本実施形態においては、液晶素子２４の動作準備が完了してからシーク動作を行う（光ピックアップ４の位置を半径方向に移動する）構成としている。しかし、これに限らず、例えば、液晶素子２４の動作準備（図３におけるステップＳ５が該当）と平行して光ピックアップ４の半径方向に移動を開始しても構わない。この構成の場合であっても上述の効果（液晶素子を用いてチルト補正を行う光ディスク装置において、情報の読み取りや情報の書き込みの速度が低下するのを抑制できる）は得られる。
【００５２】
また、本実施形態の光ディスク装置１では、チルトセンサ１４を用いてチルト角の検出を行う構成としたが、これに限定される趣旨ではない。すなわち、チルトセンサ１４を用いずに、ＲＦ信号やトラッキングエラー信号（ＴＥ信号）を用いてチルト検出を行う構成としても勿論構わない。この場合も、光ディスク２０の再生や記録を行う前に、予め光ディスク２０の幾つかの検出点でＲＦ信号或いはＴＥ信号が最大となるチルト補正値を取得しておくことになる。
【００５３】
また、本実施形態においては、チルト補正を行うチルト補正手段が液晶素子２４である場合について説明した。しかし、これに限らず、液晶素子２４と同様に、設定変更を行うことにより長い待ち時間が必要となるチルト補正手段を用いる場合に、本発明は適用可能であり、その効果を有効に発揮できる。
【産業上の利用可能性】
【００５４】
本発明によれば、条件設定後に待ち時間が必要となるチルト補正手段を備える光ディスク装置について、再生や記録の品質の劣化を抑制しつつ、情報の読み取りや情報の書き込み速度の低下についても抑制できる。従って、本発明の光ディスク装置は有用である。
【図面の簡単な説明】
【００５５】
【図１】は、本実施形態の光ディスク装置の構成を示すブロック図である。
【図２】は、本実施形態のチルト補正方法を説明するための図である。
【図３】は、本実施形態の光ディスク装置において、光ピックアップにシーク命令が出されてからシークが実行されるまでの手順を示すフローチャートである。
【符号の説明】
【００５６】
１                光ディスク装置
４                光ピックアップ
１２              液晶駆動回路（ドライバ手段）
１７              システム制御部（設定変更判断手段）
１８              メモリ（記憶手段）
２０              光ディスク
２０ａ            記録面
２４              液晶素子（チルト補正手段）
【図１】
2009026414.tif 000003
【図２】
2009026414.tif 000004
【図３】
2009026414.tif 000005